(57)【要約】【課題】巻回された金属帯のコイルボビンへの巻き付けを短時間で実現させることができるテープ除去方法などを提供する。【解決手段】テープ除去方法は、巻回された金属帯の最外周部分５１の端部と該端部よりも内側に位置する前記金属帯の内側部分５４とを連結するテープ６０を除去するテープ除去方法であって、前記テープの一面に粘着部６２及び非粘着部６１が形成され、前記粘着部６２によって前記端部及び内側部分５４が連結されており、巻回された前記金属帯と、挿入部３を有するテープ除去具１とを前記金属帯の周方向に相対移動させ、前記非粘着部６１及び金属帯の隙間に前記挿入部３を挿入させて、前記テープ６０を前記金属帯から剥がす。【選択図】図１１
2019210426.tif 000002
【特許請求の範囲】
【請求項１】
巻回された金属帯の最外周部分の端部と該端部よりも内側に位置する前記金属帯の内側部分とを連結するテープを除去するテープ除去方法であって、
前記テープの一面に粘着部及び非粘着部が形成され、前記粘着部によって前記端部及び内側部分が連結されており、
巻回された前記金属帯と、挿入部を有するテープ除去具とを前記金属帯の周方向に相対移動させ、
前記非粘着部及び金属帯の隙間に前記挿入部を挿入させて、前記テープを前記金属帯から剥がす
テープ除去方法。
【請求項２】
前記テープ除去具の押さえ部によって、剥がれた前記テープを押さえる
請求項１に記載のテープ除去方法。
【請求項３】
前記挿入部の隣に形成された溝の上に、剥がれた前記テープが移動するように、前記挿入部を前記非粘着部及び金属帯の隙間に挿入する
請求項１又は２に記載のテープ除去方法。
【請求項４】
前記テープ除去具は湾曲部が形成された開口を備え、
前記湾曲部が前記金属帯の径方向外向きに突出するように、前記テープ除去具を前記金属帯の最外周部分に配置し、
剥がれた前記テープを前記開口に取り込む
請求項１から３のいずれか一つに記載のテープ除去方法。
【請求項５】
前記テープ除去具は開口を備え、
剥がれた前記テープを前記開口に取り込み、
前記テープ除去具を前記金属帯から離し、
前記開口に取り込まれた前記テープを前記テープ除去具から取り外す
請求項１から３のいずれか一つに記載のテープ除去方法。
【請求項６】
ベース板と、
該ベース板に平行な方向にて前記ベース板から突出しており、巻回された金属帯と該金属帯に貼付されたテープの非粘着部との隙間に挿入する為の挿入部と
を備えるテープ除去具。
【請求項７】
前記ベース板に対向し、前記金属帯から剥がれた前記テープを押さえる押さえ部
を備える請求項６に記載のテープ除去具。
【請求項８】
前記ベース板における前記挿入部の隣に溝が形成されている
請求項６又は７に記載のテープ除去具。
【請求項９】
前記ベース板の周囲に配置された枠が設けられており、
前記枠に、前記ベース板に平行な方向に貫通し、剥がれた前記テープを取り込む開口が形成されており、
前記ベース板から離れる向きに突出する湾曲部が前記開口に形成されている
請求項６から８のいずれか一つに記載のテープ除去具。
【請求項１０】
前記ベース板に対向する対向板が前記枠に設けられており、前記対向板に、前記ベース板に直角な方向に貫通した第二開口が形成されている
請求項９に記載のテープ除去具。
【発明の詳細な説明】
【技術分野】
【０００１】
本技術は、金属帯（例えば鋼帯）の最外周部分の端部と金属帯の内側部分とを連結するテープを除去するテープ除去方法及びテープ除去具に関する。
【背景技術】
【０００２】
従来、変圧器の作製において、以下のようにして、鋼帯によって構成された巻鉄心を、環状のコイルボビンに巻き付けていた。まず巻鉄心の内側に内側ローラを配置し、外側に外側ローラを配置して、内側ローラ及び外側ローラによって、巻鉄心を挟む。そして、巻鉄心の最外周部分を延ばして、コイルボビンの中央開口に挿入させ、最外周部分の端部と、巻鉄心の前記端部よりも内側の部分とをテープによって連結させる。
【０００３】
そして、内側ローラ及び外側ローラを回転させ、巻鉄心を、巻鉄心よりも大径の大円にする。その後、作業者がテープを取り外し、内側ローラを大円から離間させる。大円の直径は短くなり、縮小した大円、即ち巻鉄心がコイルボビンに巻き付けられる（例えば特許文献１参照）。
【先行技術文献】
【特許文献】
【０００４】
【特許文献１】特許第２７７７０７０号公報
【発明の概要】
【発明が解決しようとする課題】
【０００５】
従来、コイルボビンに巻鉄心を巻き付ける場合、作業者が手を使って直接テープを取り外していた。そのため、コイルボビンへの巻鉄心の巻き付けに長時間を要していた。
【０００６】
本開示は斯かる事情に鑑みてなされたものであり、巻回された金属帯のコイルボビンへの巻き付けを短時間で実現させることができるテープ除去方法及びテープ除去具を提供することを目的とする。
【課題を解決するための手段】
【０００７】
本開示に係るテープ除去方法は、巻回された金属帯の最外周部分の端部と該端部よりも内側に位置する前記金属帯の内側部分とを連結するテープを除去するテープ除去方法であって、前記テープの一面に粘着部及び非粘着部が形成され、前記粘着部によって前記端部及び内側部分が連結されており、巻回された前記金属帯と、挿入部を有するテープ除去具とを前記金属帯の周方向に相対移動させ、前記非粘着部及び金属帯の隙間に前記挿入部を挿入させて、前記テープを前記金属帯から剥がす。
【０００８】
本開示においては、テープ除去具の挿入部を、テープの非粘着部及び金属帯の隙間に挿入し、短時間でテープを金属帯から剥がす。
【０００９】
本開示に係るテープ除去方法は、前記テープ除去具の押さえ部によって、剥がれた前記テープを押さえる。
【００１０】
本開示においては、剥がしたテープをテープ除去具に留めて、外部に放出させることなく、回収する。
【００１１】
本開示に係るテープ除去方法は、前記挿入部の隣に形成された溝の上に、剥がれた前記テープが移動するように、前記挿入部を前記非粘着部及び金属帯の隙間に挿入する。
【００１２】
本開示においては、溝の上に、剥がれたテープを配置させるので、粘着部とテープ除去具との接触面積が、溝が無い場合に比べて小さくなり、テープ除去具からテープを取り外しやすくなる。
【００１３】
本開示に係るテープ除去方法は、前記テープ除去具は湾曲部が形成された開口を備え、前記湾曲部が前記金属帯の径方向外向きに突出するように、前記テープ除去具を前記金属帯の最外周部分に配置し、剥がれた前記テープを前記開口に取り込む。
【００１４】
本開示においては、開口から、剥がれたテープを取り込み、テープ除去具の内側に回収する。
【００１５】
本開示に係るテープ除去方法は、前記テープ除去具は開口を備え、剥がれた前記テープを前記開口に取り込み、前記テープ除去具を前記金属帯から離し、前記開口に取り込まれた前記テープを前記テープ除去具から取り外す。
【００１６】
本開示においては、開口を通して回収したテープを、テープ除去具から取り外し、廃棄する。
【００１７】
本開示に係るテープ除去具は、ベース板と、該ベース板に平行な方向にて前記ベース板から突出しており、巻回された金属帯と該金属帯に貼付されたテープの非粘着部との隙間に挿入する為の挿入部とを備える。
【００１８】
本開示においては、テープ除去具の挿入部を、テープの非粘着部及び金属帯の隙間に挿入し、短時間でテープを金属帯から剥がす。
【００１９】
本開示に係るテープ除去具は、前記ベース板に対向し、前記金属帯から剥がれた前記テープを押さえる押さえ部を備える。
【００２０】
本開示においては、剥がしたテープをテープ除去具に留めて、外部に放出させることなく、回収する。
【００２１】
本開示に係るテープ除去具は、前記ベース板における前記挿入部の隣に溝が形成されている。
【００２２】
本開示においては、溝の上に、剥がれたテープを配置させるので、粘着部とテープ除去具との接触面積が、溝が無い場合に比べて小さくなり、テープ除去具からテープを取り外しやすくなる。
【００２３】
本開示に係るテープ除去具は、前記ベース板の周囲に配置された枠が設けられており、前記枠に、前記ベース板に平行な方向に貫通し、剥がれた前記テープを取り込む開口が形成されており、前記ベース板から離れる向きに突出する湾曲部が前記開口に形成されている。
【００２４】
本開示においては、開口から、剥がれたテープを取り込み、テープ除去具の内側に回収する。湾曲部を設けることによって、回収されたテープは湾曲部に沿って移動し、テープをベース板から離れさせることができる。
【００２５】
本開示に係るテープ除去具は、前記ベース板に対向する対向板が前記枠に設けられており、前記対向板に、前記ベース板に直角な方向に貫通した第二開口が形成されている。
【００２６】
本開示においては、開口から取り込まれたテープを第二開口から取り出し、廃棄することができる。
【発明の効果】
【００２７】
本開示に係るテープ除去方法及びテープ除去具にあっては、テープ除去具の挿入部を、テープの非粘着部及び金属帯の隙間に挿入して、短時間でテープを金属帯から剥がし、巻回された金属帯のコイルボビンへの巻き付けを短時間で実現させることができる。
【図面の簡単な説明】
【００２８】
【図１】巻き付け装置の略示斜視図である。
【図２】コイルボビンに金属帯を巻き付ける巻き付け方法を説明する説明図である。
【図３】コイルボビンに金属帯を巻き付ける巻き付け方法を説明する説明図である。
【図４】金属帯が脚に巻き付いた状態での巻き付け装置の略示斜視図である。
【図５】テープ除去具の略示斜視図である。
【図６】テープ除去具の略示正面図である。
【図７】テープ除去具の略示平面図である。
【図８】テープ除去具の略示側面図である。
【図９】テープ除去具の略示底面図である。
【図１０】図７に示すＸ−Ｘ線を切断線とした略示断面図である。
【図１１】金属帯に取り付けたテープの取り外し方法を説明する説明図である。
【図１２】金属帯から取り外す場合における非粘着部を有さないテープを示す模式図である。
【図１３】非粘着部を有するテープを作製する作製方法の一例を示す模式図である。
【発明を実施するための形態】
【００２９】
以下本発明を、コイルボビン５５に金属帯５０を巻き付ける巻き付け装置、巻き付け方法及びテープ除去具１を示す図面に基づいて説明する。図１は巻き付け装置の略示斜視図である。
【００３０】
巻き付け装置は、巻回された金属帯５０（例えば鋼帯）を支持する支持台１０を備える。支持台１０には貫通穴１０ａが形成されている。貫通穴１０ａの直径よりも大きい内径を有する巻回された金属帯５０が支持台１０に支持されている。金属帯５０は貫通穴１０ａに対して同軸的に配置されている。
【００３１】
巻き付け装置は、軸回りに回転する第一回転軸１１と、該第一回転軸１１の端部に取り付けられた内側ローラ１１ａと、軸回りに回転する第二回転軸１２と、該第二回転軸１２の端部に取り付けられた外側ローラ１２ａとを備える。第一回転軸１１及び内側ローラ１１ａは、金属帯５０の反対側（図１の下側）から、同軸的に貫通穴１０ａに挿入されている。内側ローラ１１ａは金属帯５０の内側に配置されている。第一回転軸１１は軸方向に移動可能である。
【００３２】
第二回転軸１２及び外側ローラ１２ａは、金属帯５０の外側に配置されている。第二回転軸１２及び外側ローラ１２ａは、第一回転軸１１及び内側ローラ１１ａと略平行になるように、配置されている。第二回転軸１２は外側ローラ１２ａから第一回転軸１１の反対側（図１の上側）に延びている。第二回転軸１２は、径方向に移動可能である。
【００３３】
四角環状のコイルボビン５５が金属帯５０の近傍に配置されている。コイルボビン５５の軸方向は、金属帯５０の軸方向に略直交する。コイルボビン５５の対向する二辺（以下、脚５５ａという）は、金属帯５０に略平行であり、他の二辺は金属帯５０に略直角である。金属帯５０は、脚５５ａと外側ローラ１２ａとの間に配置されている。
【００３４】
図２及び図３は、コイルボビン５５に金属帯５０を巻き付ける巻き付け方法を説明する説明図、図４は、金属帯５０が脚５５ａに巻き付いた状態での巻き付け装置の略示斜視図である。コイルボビン５５に金属帯５０を巻き付ける場合、まず、外側ローラ１２ａを金属帯５０に接近させ、金属帯５０を内側ローラ１１ａ及び外側ローラ１２ａによって挟む。そして、金属帯５０の最外周部分５１を延ばし、最外周部分５１の端部５１ａをコイルボビン５５の中央開口５６に挿入させる（図２Ａ参照）。
【００３５】
そして、最外周部分５１の端部５１ａを内側ローラ１１ａ及び外側ローラ１２ａの間に挿入し、前記端部５１ａと、端部５１ａよりも内側に位置する金属帯５０の内側部分５４（図１１参照）とを、テープ６０によって連結する（図２Ｂ参照）。このとき、前記最外周部分５１によって、金属帯５０よりも大径の円（以下、大円５２という）が形成される。次に、内側ローラ１１ａを、金属帯５０の巻回方向と逆向きに回転させ、金属帯５０の外側の層を順次、大円５２に供給し、金属帯５０の全てを大円５２にする（図２Ｃ参照）。
【００３６】
そして、テープ除去具１を大円５２の外周面に接近させて、テープ除去具１によって、テープ６０を大円５２から除去する（図３Ｄ参照）。テープ除去具１の詳細な構成は後述する。テープ６０の除去後、第一回転軸１１及び内側ローラ１１ａを金属帯５０から抜き出す。大円５２は、自身の弾性復元力によって径方向に収縮し、コイルボビン５５の脚５５ａに金属帯５０が巻き付く（図３Ｅ及び図４参照）。
【００３７】
図５は、テープ除去具１の略示斜視図、図６は、テープ除去具１の略示正面図、図７は、テープ除去具１の略示平面図、図８は、テープ除去具１の略示側面図、図９は、テープ除去具１の略示底面図、図１０は、図７に示すＸ−Ｘ線を切断線とした略示断面図である。以下の説明では、図５〜図１０に示す上下前後左右を使用する。
【００３８】
図９に示すように、テープ除去具１は五角形状をなすベース板２を備える。ベース板２は、平面視ホームベース状をなし、尖端を前方に向けている。ベース板２の先端部に、前方に突出した挿入部３が形成されている。挿入部３は平面視半円状をなす。図１０に示すように、挿入部３の上面には、前方に向けて下降傾斜した傾斜面３ａが形成されている。
【００３９】
図５及び図１０に示すように、ベース板２の前部には、上方に突出した隆起部２ａが形成されている。隆起部２ａの左右方向中央部に、前後に延びた凹部２ｂが形成されている。図５〜図７に示すように、凹部２ｂの左側及び右側において、前後に延びる細い複数の溝２ｃが隆起部２ａに形成されている。溝２ｃの左右幅は、凹部２ｂの左右幅の略１／４〜１／５程度である。
【００４０】
ベース板２の周囲に、平面視Ｕ状をなす枠４が設けられている。枠４は、その二つの先端を前方に向けている。枠４は、左枠部５、右枠部６及び後枠部７を備える。左枠部５は右枠部６よりも左側に位置する。左枠部５及び右枠部６は前後方向に延びた直方体状をなし、左右方向に対向している。左枠部５及び右枠部６の前後寸法は略同じである。後枠部７は左右方向に延びた直方体状をなし、後枠部７の左端部と、左枠部５の後端部とは略直角に連結されている。後枠部７の右端部と、右枠部６の後端部とは略直角に連結されている。
【００４１】
後枠部７と左枠部５との連結部分は、右斜め前に延出した第一延出部８ａを形成し、後枠部７と右枠部６との連結部分は、左斜め前に延出した第二延出部８ｂを形成している。後枠部７、左枠部５、右枠部６、第一延出部８ａ及び第二延出部８ｂによって囲まれた部分に、上下に貫通した第二開口１ｂが形成されている。平面視において、第二開口１ｂは、尖端を後方に向けたホームベース状をなす。
【００４２】
図８に示すように、右枠部６の前端部下側部分に、後方に向けて下降傾斜した傾斜面６ｂが形成され、図１０に示すように、左枠部５の前端部下側部分に、後方に向けて下降傾斜した傾斜面５ｂが形成されている。図９に示すように、左右方向における左枠部５及び右枠部６の離間距離は、ベース板２の左右寸法よりも長い。ベース板２は左枠部５及び右枠部６の間に配置されている。ベース板２の後端部は後枠部７に連結されている。ベース板２と左枠部５との間、及びベース板２と右枠部６との間には、隙間２ｄが形成されている。挿入部３は、枠４の前端、即ち左枠部５及び右枠部６の前端よりも前側に突出している。
【００４３】
図６に示すように、左枠部５及び右枠部６の前端部の間には、前後方向、即ちベース板２に平行な方向に貫通した開口１ａが設けられている。該開口１ａは、上向き、即ちベース板２から離れる向きに突出する湾曲部５ａ、６ａを有する。該湾曲部５ａ、６ａは、左枠部５及び右枠部６それぞれの前端部に形成されている。
【００４４】
図７の破線によって示されているように、枠４の下部に平面視Ｕ状の溝８ｃが形成されている。溝８ｃは、左枠部５の右下部分、右枠部６の左下部分、後枠部７の前下部分をくり抜くように形成されており、枠４における溝８ｃの上側部分は、庇状をなす。前記湾曲部５ａ、６ａは溝８ｃに連なる。
【００４５】
後枠部７の左右方向中央部から斜め前上方向に向けて押さえ部９が突出している。押さえ部９は帯状をなし、前側に向かうに従って上昇するように傾斜した第一傾斜部９ａと、前側に向かうに従って下降するように傾斜した第二傾斜部９ｂと、第一傾斜部９ａ及び第二傾斜部９ｂを連結する頂部９ｃとを備える。第一傾斜部９ａは、後枠部７の溝８ｃの上側から斜め前上方向に突出する。第一傾斜部９ａの突出端部に頂部９ｃが形成されている。頂部９ｃから第二傾斜部９ｂが斜め前下方向に突出する。頂部９ｃは枠４よりも上側に配置され、前後方向において、左枠部５及び右枠部６の前端部分に対応する位置に配されている。第二傾斜部９ｂの前端は、挿入部３よりも前側に配置され、上下方向において、ベース板２と、枠４の上面との間に配置されている。
【００４６】
図１１は、金属帯５０に取り付けたテープ６０の取り外し方法を説明する説明図である。矩形のテープ６０の裏面中央部に非粘着部６１が形成されている。非粘着部６１は、テープ６０の長手方向に延びる。テープ６０の裏面にて、長手方向に交差する方向において、非粘着部６１の両側それぞれに粘着部６２が形成されている。テープ６０は、巻回された金属帯５０の最外周部分５１の端部５１ａと、該端部５１ａよりも内側に位置する金属帯５０の内側部分とを連結する。最外周部分５１の端部５１ａと、内側部分との境界には段差５３が形成されており、テープ６０は段差５３を覆う。非粘着部６１及び粘着部６２は、金属帯５０の周方向に沿って延び、粘着部６２の一端部は、前記最外周部分５１に接着し、他端部は内側部分に接着する。
【００４７】
図３Ｄに示すように、金属帯５０からテープ６０を取り外す場合、金属帯５０を回転させた状態で、テープ除去具１をテープ６０に接近させる。このとき、ベース板２を金属帯５０の外周面に対向させて、湾曲部５ａ、６ａが金属帯５０の径方向外向きに突出するように、テープ除去具１を金属帯５０の最外周部分５１に配置する。そして、図１１に示すように、テープ除去具１の挿入部３を、テープ６０の非粘着部６１と、金属帯５０の最外周部分５１との間に挿入する。金属帯５０は回転しているので、挿入部３と金属帯５０とは相対的に移動している。挿入部３はテープ６０と金属帯５０との間に挿入され、テープ６０の粘着部６２は金属帯５０から剥がれ、テープ６０は開口１ａに取り込まれる。取り込まれたテープ６０は溝２ｃの上に移動し、テープ除去具１の内側に収納される。そして、テープ６０を収納したテープ除去具１が金属帯５０から離される。テープ除去具１に収納されたテープ６０は、第二開口１ｂを通して、テープ除去具１から取り除かれる。テープ６０をテープ除去具１から取り除く作業は、作業者の手２０で行ってもよいし、吸引器２２で行ってもよい。金属帯５０に対するテープ除去具１の接近又は離間は、作業者の手２０で行ってもよいし、機械のアーム２１によって行ってもよい。
【００４８】
実施の形態に係るテープ除去方法及びテープ除去具１においては、テープ除去具１の挿入部３を、テープ６０の非粘着部６１及び金属帯５０の隙間に挿入し、短時間でテープ６０を金属帯５０から剥がすことができる。
【００４９】
また剥がしたテープ６０を押さえ部９によって押さえて、テープ除去具１の内側空間に留める。そのため、剥がしたテープ６０を外部に放出させることなく、回収することができる。
【００５０】
また溝２ｃの上に剥がれたテープ６０が配置されるので、粘着部６２とベース板２との接触面積が、溝２ｃが無い場合に比べて小さくなり、テープ除去具１からテープ６０を取り外しやすくなる。
【００５１】
また剥がれたテープ６０を、開口１ａを通して取り込み、テープ除去具１の内側に回収する。湾曲部５ａ、６ａを設けることによって、回収されたテープ６０は湾曲部５ａ、６ａに沿って移動し、テープ６０をベース板２から離れさせることができる。挿入部３をテープ６０と金属帯５０との間に挿入した時、テープ６０の二つの粘着部６２の内、一方の粘着部６２のみが剥がれ、他方の粘着部６２が剥がれなかった場合、剥がれたテープ６０の部分は、湾曲部５ａ、６ａに沿って上方、即ち金属帯５０から離れる方向に引っ張られる。その結果、剥がれていない他方の粘着部６２も、金属帯５０から離れる方向に引っ張られ、テープ６０の円滑な除去が実現される。
【００５２】
また開口１ａから取り込まれたテープ６０を第二開口１ｂから取り出し、容易に廃棄することができる。
【００５３】
図１２は、金属帯５０から取り外す場合における非粘着部６１を有さないテープ６５を示す模式図である。テープ６５が非粘着部６１を有さない場合、段差５３には、テープ６５の粘着部が密着している。そのため、図１２に示すように、テープ除去具１の挿入部３をテープ６５と金属帯５０との間に挿入しても、テープ６５が段差５３から離れずに折れ曲がり、テープ除去具１は、折れ曲がったテープ６５の裏面に乗り上げ、テープ６５を除去することができない。実施の形態にあっては、非粘着部６１をテープに形成することによって、上記問題を解決することができる。
【００５４】
図１３は、非粘着部６１を有するテープ６０を作製する作製方法の一例を示す模式図である。図１３に示すように、両面が粘着性を有さない第一テープ６６ａ、両面が粘着性を有する第二テープ６６ｂ、及び非粘着テープ６７、例えば紙テープを準備する。第一及び第二テープ６６ａ、６６ｂの幅は略同じである。非粘着テープ６７の幅は、第一及び第二テープ６６ａ、６６ｂよりも短い。まず第一及び第二テープ６６ａ、６６ｂを引き出して、第二テープ６６ｂを第一テープ６６ａの片面（裏面）に接着させて、粘着テープ６６を作成する。そして、非粘着テープ６７を引き出して、粘着テープ６６の裏面側に配置し、粘着テープ６６の裏面に非粘着テープ６７を接着させて、テープ６０を作製する。非粘着テープ６７は、幅方向において、粘着テープ６６の中央部分に接着させる。そして、テープカッタ６８によって、テープ６０を所定の寸法で切断する。
【００５５】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００５６】
１  テープ除去具
１ａ  開口
１ｂ  第二開口
２  ベース板
２ｃ  溝
３  挿入部
４  枠
５  左枠部
６  右枠部
５ａ、６ａ  湾曲部
７  後枠部
９  押さえ部
５０  金属帯
５１  最外周部分
５４  内側部分
６０  テープ
６１  非粘着部
６２  粘着部
【図１】
2019210426.tif 000003
【図２】
2019210426.tif 000004
【図３】
2019210426.tif 000005
【図４】
2019210426.tif 000006
【図５】
2019210426.tif 000007
【図６】
2019210426.tif 000008
【図７】
2019210426.tif 000009
【図８】
2019210426.tif 000010
【図９】
2019210426.tif 000011
【図１０】
2019210426.tif 000012
【図１１】
2019210426.tif 000013
【図１２】
2019210426.tif 000014
【図１３】
2019210426.tif 000015